(57)【要約】【課題】  屋外側からシャッターカーテンに穴があけられた場合であっても容易に解錠されることがない、防犯性能の高いシャッターの施錠装置を得る。【解決手段】  シャッターカーテン３下端の座板８に取り付けられたロック機構１２と、ロック機構１２のロック部材４１と係合する受ピン６１を有する、シャッター下枠６に取り付けられたロック受具１３とからなる施錠装置１１であって、ロック機構１２の基体２１に回動可能に支持され、窓サッシ方向に所定角度以上回動させることにより、ロック機構１２のロック部材４１を解除方向に回動させて解錠する解錠手段を設け、窓サッシを閉じた状態では、該解錠手段の解錠に必要な所定角度以上の回動が規制され、該解錠が抑制される。【選択図】        図５
2006214193.tif 000002
【特許請求の範囲】
【請求項１】
窓サッシの屋外側に設けられたシャッターにおける、シャッターカーテン下端の座板に取り付けられたロック機構と、該ロック機構のロック部材と係合する受ピンを有する、シャッター下枠に取り付けられたロック受具とからなる施錠装置であって、
前記ロック機構の基体に回動可能に支持され、窓サッシ方向に所定角度以上回動させることにより、前記ロック機構のロック部材を解錠方向に回動させる解錠手段を備え、
前記窓サッシを閉じた状態では、該解錠手段の解錠に必要な所定角度以上の回動が規制されてなることを特徴とするシャッターの施錠装置。
【請求項２】
前記ロック機構が、前記基体に前後方向の略水平軸まわりに回動可能に支持されたロック部材と、前記基体に前後方向の略水平軸まわりに回動可能に支持され、該ロック部材の係止部に当接して該ロック部材の解錠方向の回動を規制する係止片と、該係止片の回動と連動する、前記基体に略上下方向にスライド可能に支持されたスライダとを有し、該スライダの下方への移動により該係止片が回動して前記ロック部材の係止部から外れ、該ロック部材が解錠方向に回動して解錠状態となるものであり、
前記解錠手段が、前記基体の上側において、前記基体に略鉛直軸まわりに回動可能に支持された解錠片と、該解錠片から延設され、該解錠片と一体又は別体の操作片とからなり、
該操作片が前記窓サッシ面と略平行位置にある施錠状態では、前記解錠片に設けられたストッパと前記スライダの上部との係合により前記スライダの下方への移動が規制され、
該操作片を窓サッシ方向に回動させると、前記ストッパと前記スライダの上部との係合が解除され、さらに該操作片を同方向に回動させて該回動角度が所定角度以上になると、前記解錠片に設けられた押下片により前記スライダが下方へ押し下げられて前記解錠状態となる請求項１記載のシャッターの施錠装置。
【請求項３】
前記ロック機構とロック受具とからなる施錠装置を複数設けてなり、
該複数の施錠装置の前記操作片及び解錠片の少なくともどちらかを連動リンクバーにより連結し、一つの操作片の操作により該複数の施錠装置の解錠操作を連動させてなる請求項２記載のシャッターの施錠装置。
【発明の詳細な説明】
【技術分野】
【０００１】
本発明は、家庭用の雨戸等に利用されるスラットを連接して巻き取り可能としてなるシャッターの施錠装置に関するものである。
【背景技術】
【０００２】
防犯、風雨避け及び省エネルギー等の目的で建物外壁の開口部にサッシと共に設置するシャッターとして、シャッターカーテンを上下方向に多数のスラットを連接した巻き取り可能な構成とし、前記サッシの屋外上側に設けられたシャッターケース内の巻上ドラムに前記シャッターカーテンを巻装しておき、前記サッシの屋外左右に設けられたガイドレールにより前記シャッターカーテンの左右両側部をガイドしながら前記シャッターカーテンを引き下げて前記サッシの全体を覆う構成のものがある。このような構成のシャッターは、戸袋を無くすことができること等の特長があることから、広く使用されている。
【０００３】
このような構成のシャッターに用いられる従来の施錠装置として、シャッターカーテンを昇降案内する左右のガイドレールの下端にラッチ掛りを突設すると共に、該シャッターカーテンの座板の左右側端に該ラッチ掛りと係止する回動自在のラッチ体を設け、前記座板に、その長手方向に沿って操作レバーを設け、該操作レバーを、前記ラッチ体側に突出して前記ラッチ掛りに係止した前記ラッチ体を固定施錠する下動位置と、前記ラッチ体側から後退して解錠する上動位置とに上下回動自在に構成してなるもの（以下において「左右固定式施錠装置」という。例えば、特許文献１及び２参照。）等がある。
【０００４】
また、シャッターカーテンの端板部（座板）の屋内面にロック機構を設けると共に、該ロック機構の下側のシャッター下枠にロック受部を設け、前記端板部が閉鎖位置まで下降すると、前記ロック機構のロック片が前記ロック受部の受ピンに当接して解除位置からロック位置に回動し係止して施錠され、前記ロック機構の本体の一側部に形成された切欠部を通って側方に延出された操作レバーを上方に操作することにより解錠されるもの（以下において「上下固定式施錠装置」という。例えば、特許文献３及び４参照。）等がある。
【０００５】
【特許文献１】特開平８−１０９７８０号公報（図１−３）
【特許文献２】特開２００２−２５０１８９号公報（図１、図３−５）
【特許文献３】特許第３０７９０３７号公報（図１−２）
【特許文献４】特開２００１−３１１３４１号公報（図１−４）
【発明の開示】
【発明が解決しようとする課題】
【０００６】
このような従来のシャッターの施錠装置は、前記シャッターカーテンの閉鎖位置において施錠がなされるものであるが、充電式ドリル、キリ、金切挟等によりシャッターカーテンのスラットに屋外側から穴をあけられた場合には、屋外側から容易に解錠されるものである。したがって、近年における住宅又は事務所等への侵入窃盗及び強盗の件数増加並びに該犯罪の凶悪化に鑑みれば、特に防犯上の観点から改良の余地があるものである。
【０００７】
本発明は、前記のような問題点を解決するためになされたものであり、屋外側から該シャッターカーテンに穴があけられた場合であっても容易に解錠されることがない、防犯性能の高いシャッターの施錠装置を得ることを目的とする。
【課題を解決するための手段】
【０００８】
本発明に係るシャッターの施錠装置は、窓サッシの屋外側に設けられたシャッターにおける、シャッターカーテン下端の座板に取り付けられたロック機構と、該ロック機構のロック部材と係合する受ピンを有する、シャッター下枠に取り付けられたロック受具とからなる施錠装置であって、前記ロック機構の基体に回動可能に支持され、窓サッシ方向に所定角度以上回動させることにより、前記ロック機構のロック部材を解錠方向に回動させる解錠手段を備え、前記窓サッシを閉じた状態では、該解錠手段の解錠に必要な所定角度以上の回動が規制されてなるものである。
【０００９】
ここで、前記ロック機構が、前記基体に前後方向の略水平軸まわりに回動可能に支持されたロック部材と、前記基体に前後方向の略水平軸まわりに回動可能に支持され、該ロック部材の係止部に当接して該ロック部材の解錠方向の回動を規制する係止片と、該係止片の回動と連動する、前記基体に略上下方向にスライド可能に支持されたスライダとを有し、該スライダの下方への移動により該係止片が回動して前記ロック部材の係止部から外れ、該ロック部材が解錠方向に回動して解錠状態となるものであり、前記解錠手段が、前記基体の上側において、前記基体に略鉛直軸まわりに回動可能に支持された解錠片と、該解錠片から延設され、該解錠片と一体又は別体の操作片とからなり、該操作片が前記窓サッシ面と略平行位置にある施錠状態では、前記解錠片に設けられたストッパと前記スライダの上部との係合により前記スライダの下方への移動が規制され、該操作片を窓サッシ方向に回動させると、前記ストッパと前記スライダの上部との係合が解除され、さらに該操作片を同方向に回動させて該回動角度が所定角度以上になると、前記解錠片に設けられた押下片により前記スライダが下方へ押し下げられて前記解錠状態となるとなると好ましい。
【００１０】
また、前記ロック機構とロック受具とからなる施錠装置を複数設けてなり、該複数の施錠装置の前記操作片及び解錠片の少なくともどちらかを連動リンクバーにより連結し、一つの操作片の操作により該複数の施錠装置の解錠操作を連動させてなると好ましい。
【発明の効果】
【００１１】
本発明に係るシャッターの施錠装置によれば、窓サッシの屋外側に設けられたシャッターにおける、シャッターカーテン下端の座板に取り付けられたロック機構と、該ロック機構のロック部材と係合する受ピンを有する、シャッター下枠に取り付けられたロック受具とからなる施錠装置であって、前記ロック機構の基体に回動可能に支持され、窓サッシ方向に所定角度以上回動させることにより、前記ロック機構のロック部材を解錠方向に回動させる解錠手段を備え、前記窓サッシを閉じた状態では、該解錠手段の解錠に必要な所定角度以上の回動が規制されてなるので、施錠後に前記窓サッシを閉じた状態では、たとえ屋外側から前記シャッターカーテンに穴があけられた場合であっても解錠が困難であり、外部からの侵入者の侵入所要時間が大幅に長くなるため、該施錠装置を取り付けてなるシャッターの防犯性能を大幅に向上することができる。
【００１２】
また、前記ロック機構が、前記基体に前後方向の略水平軸まわりに回動可能に支持されたロック部材と、前記基体に前後方向の略水平軸まわりに回動可能に支持され、該ロック部材の係止部に当接して該ロック部材の解錠方向の回動を規制する係止片と、該係止片の回動と連動する、前記基体に略上下方向にスライド可能に支持されたスライダとを有し、該スライダの下方への移動により該係止片が回動して前記ロック部材の係止部から外れ、該ロック部材が解錠方向に回動して解錠状態となるものであり、前記解錠手段が、前記基体の上側において、前記基体に略鉛直軸まわりに回動可能に支持された解錠片と、該解錠片から延設され、該解錠片と一体又は別体の操作片とからなり、該操作片が前記窓サッシ面と略平行位置にある施錠状態では、前記解錠片に設けられたストッパと前記スライダの上部との係合により前記スライダの下方への移動が規制され、該操作片を窓サッシ方向に回動させると、前記ストッパと前記スライダの上部との係合が解除され、さらに該操作片を同方向に回動させて該回動角度が所定角度以上になると、前記解錠片に設けられた押下片により前記スライダが下方へ押し下げられて前記解錠状態となると、より簡素な構成により前記解錠手段、ストッパ及び押下片等を構成することができるため、施錠・解錠動作の信頼性の向上及びコスト低減化を図ることができる。
【００１３】
さらに、前記ロック機構とロック受具とからなる施錠装置を複数設けてなり、該複数の施錠装置の前記操作片及び解錠片の少なくともどちらかを連動リンクバーにより連結し、一つの操作片の操作により該複数の施錠装置の解錠操作を連動させてなると、一つの操作片に対するワンアクションの解錠操作で該複数の施錠装置の解錠ができるため、操作性を向上することができる。
【発明を実施するための最良の形態】
【００１４】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、屋外側から見て手前側を前、奥側（室内側）を後、左右を左右とする。また、屋外側（前側）から見た図を正面図とする。
【００１５】
図１〜図３は、本発明の実施の形態に係る施錠装置が用いられたシャッターの例を示す説明図であり、図１は正面図、図２は縦断右側面図、図３は横断平面図である。なお、図２のシャッターカーテンは、最下部の座板のみを示している。図４〜図６は、本発明の実施の形態に係るシャッターの施錠装置の構成を示す説明図であり、図４は縦断右側面図、図５は分解斜視図、図６は要部分解斜視図である。また、図７は施錠装置の施錠動作の説明図であり、図７（ａ）は解錠状態を示す縦断正面図、図７（ｂ）は施錠状態を示す縦断正面図である。さらに、図８及び図９は解錠操作の説明図であり、図８は平面図、図９は縦断正面図である。
【００１６】
図１に示すように、防犯、風雨避け及び省エネルギー等の目的で建物外壁の開口部に設置されるシャッター１は、窓サッシＳが取り付けられた前記開口部の屋外上側に設置されるシャッターケース２、該シャッターケース２内の図示しない巻上ドラム、該巻上ドラムに巻装され、該巻上ドラムからの引き出し及び該巻上ドラムによる巻き取りが可能なシャッターカーテン３、前記開口部の左右両側に配設される縦枠４，５、該両縦枠４，５の下端間に架設される下枠６等により構成される。また、図２及び図３に示すように、窓サッシＳは、上下に設けた左右方向のレールに沿って引戸１０１，１０２を交錯可能にスライドさせることができる引き違い戸となっている。そして、該引戸１０１，１０２の前側には網戸１０３が取り付けられている。なお、図２に示すように、該窓サッシＳの下枠１０４とシャッター下枠６とは一体化されている。ここで、シャッター１は、サッシ一体型として、破壊や取外しが困難な構造であるのが望ましい。
【００１７】
シャッターカーテン３は、鋼板若しくはアルミニウム板のロール成形又はアルミニウムの押出成形等により形成されるスラット７・・・及び最下部の座板８を連接した構成とされ、前記巻上ドラムからの引き出し又は前記巻上ドラムによる巻き取りによって、前記開口を閉鎖又は開放することができる。また、前記両縦枠４，５の左右方向の内側にはガイドレールが形成されており、該ガイドレールによりシャッターカーテン３の左右両側部が上下方向にガイドされる。
【００１８】
ここで、図２に示すように、前記ガイドレールに沿わせてシャッターカーテン３を前記巻上ドラムから引き出し、シャッターカーテン３を最下位置まで引き下げた閉鎖位置において、前記ガイドレールの下端に突設したラッチ掛りと係止するラッチ体の回動により施錠を行う左右固定式施錠装置９が設けられている。なお、該左右固定式施錠装置９は、例えば特許文献１のような公知の構成であるため詳細説明は省略するが、操作レバー１０を上方に引き上げることにより解錠することができるものである。
【００１９】
また、左右固定式施錠装置９の後側には、シャッターカーテン３の座板８の後側（屋内側）に取り付けられ、ロック部材４１を有するロック機構１２、及び、シャッター下枠６に取り付けられ、ロック部材４１に係合する受ピン６１を有するロック受具１３とにより構成される上下固定式施錠装置１１，１１が左右に設けられている。該左右２個の上下固定式施錠装置１１，１１の解錠は、後述するように、操作片３７及び連動リンク１４等により、ワンアクションにより同時に行うことができるものであるが、窓サッシＳを閉じた状態では、たとえ屋外側からシャッターカーテン３に穴があけられた場合であっても容易に解錠されることがないものである。
【００２０】
なお、図２及び図４に示すように、シャッターカーテン３の座板８とロック機構１２との間には空間Ａがあけられており、該空間を通して左右固定式施錠装置９を配設することができるため、左右固定式施錠装置９と上下固定式施錠装置１１，１１とを並設することができる。また、左右固定式施錠装置９は必ずしも設ける必要はなく、上下固定式施錠装置１１，１１のみとしてもよい。
【００２１】
図２、図３ないし図５に示すように、ロック機構１２は、シャッターカーテン３の座板８の上水平部８ａに、基体２１の上板部２５の通孔３０，３０から取付ねじ３０ａ，３０ａを螺合し、下水平部８ｂの通孔８ｃ，８ｃから取付ねじ６０，６０を基体２１の取付板部２６，２７のねじ孔２６ａ，２７ａに螺合することにより、該座板８の後側に取り付けられる。また、ロック受具１３は、取付ねじ６３・・・によりシャッター下枠６の上側に取り付けられる。
【００２２】
次に、図５及び図６により、上下固定式施錠装置１１を構成するロック機構１２及びロック受具１３の構成について説明する。ロック機構１２の基体２１は、背板部２４、該背板部２４の上部が前方に折り曲げて形成された上板部２５，該背板部２４の左右が前方に折り曲げて形成された左右の側板部２２，２３、該側板部２２，２３の前下部が左右方向外側に折り曲げて形成されると共にねじ孔２６ａ，２７ａが形成された取付板部２６，２７等から形成される。
【００２３】
ロック部材４１には、押上片４１ａ、ロック片４１ｂ、係止部４１ｃ、当接部４１ｄ及びバネ掛部４１ｅが形成されており、段付シャフト４３を通孔４２及び基体２１の背板部２４の通孔３３を通して軸端をかしめることにより、ロック部材４１は段付シャフト４３まわりに（前後方向の略水平軸まわりに）回動可能に支持される。また、係止片４４には、スライダ支持部４４ａ及びバネ掛部４４ｂが形成されており、段付シャフト４６を、該スライダ支持部４４ａ及びバネ掛部４４ｂの中間位置に設けられた通孔４５及び基体２１の背板部２４の通孔３２を通して軸端をかしめることにより、係止片４４は段付シャフト４６まわりに（前後方向の略水平軸まわりに）回動可能に支持される。前記バネ掛部４１ｅ及び４４ｂ間には引張コイルばね５３が掛架されており、該バネ掛部４１ｅ及び４４ｂ間の距離を狭める方向に弾性付勢力が作用している。
【００２４】
スライダ４８の上部を基体２１の上板部２５に形成されたガイド孔２８に挿入し、段付シャフト５２を、上下方向の長孔４９及び係止片４４のスライダ支持部４４ａに設けられた通孔４７を通して軸端をかしめることにより、基体２１に略上下方向にスライド可能に支持されたスライダ４８の上下動と係止片４４の段付シャフト４６まわりの回動が連動する。また、スライダ４８には、その上部左面には切欠き５０が形成されていると共に、上部後面側には傾斜面５１が形成されている。なお、該スライダ４８は、例えば、ＡＢＳ、ＡＥＳ、ナイロン、ポリアセタール、ポリプロピレン又はポリエチレンテレフタレート等の樹脂の射出成形により製作される。
【００２５】
以上のように、ロック機構１２は、基体２１を折り曲げ形成してなる空間内にロック部材４１、係止片４４及びスライダ４８等を組み込んでおり、コンパクトかつ簡素な構成となっている。また、該ロック部材４１等の機構部品が、基体２１及び座板８により覆われるため、該機構部品を保護することができる。
【００２６】
ロック機構１２の解錠片３４は、段付シャフト３５を通孔３４ａ及び基体２１の上板部２５の通孔２９を通して軸端をかしめることにより、基体２１の上板部２５の上側において、段付シャフト３５まわりに（略鉛直軸まわりに）回動可能に支持される。すなわち、解錠片３４は、窓サッシＳに接近する方向（以下、「窓サッシ方向」という。）及び窓サッシＳから離反する方向に回動可能に支持されている。そして、解錠片３４には略水平に延びるストッパ１９が設けられ、後述する解錠操作を行わない状態では、該ストッパ１９が前記スライダ４８上部の切欠き５０に係合しており、該スライダ４８の下方への移動が規制されるため、解錠することができないようになっている。
【００２７】
また、解錠片３４のばね掛孔３４ｃ及び基体２１の上板部２５のばね掛孔３１間には引張コイルばね４０が掛架されており、該バネ掛孔３４ｃ及び３１間の距離を狭める方向に弾性付勢力が作用しているため、解錠操作を行わない状態では、前記ストッパ１９とスライダ４８上部の切欠き５０との係合が保たれている。
【００２８】
さらに、解錠片３４には、水平方向から上側に傾斜する方向に延びる押下片３６が設けられており、解錠片３４を上方から見て時計回りに窓サッシ方向に回動させると、前記ストッパ１９とスライダ４８上部の切欠き５０との係合が解除され、さらに解錠片３４を同方向に回動させて該回動角度が所定角度以上になると、押下片３６がスライダ４８の傾斜面５１に当接して該スライダ４８を押し下げるため、該スライダ４８の下方への移動により係止片４４が回動しロック部材４１から外れる。したがって、ロック部材４１が解錠方向に回動して解錠状態となる。
【００２９】
ここで、左右の上下固定式施錠装置１１，１１の少なくとも一方の解錠片３４には、操作片３７が取り付けられる。そして、該操作片３７と解錠片３４とが、上下固定式施錠装置１１を解錠する解錠手段を構成している。なお、操作片３７と解錠片３４とを一体化してもよい。操作片３７は、当接板部３８及び該当接板部３８から段落ちして左方に延びる段落板部３９と該段落板部３９の後端縁を上方に折り曲げてなる立起部３９ａからなると共に、当接板部３８には通孔３８ａ並びに係合孔３８ｂ，３８ｃが形成されている。該操作片３７の係合孔３８ｂ，３８ｃに解錠片３４の左端から段落ちして左方に延びる係合片３４ｄを係合させることにより、操作片３７は解錠片３４に取り付けられる。
【００３０】
なお、操作片３７を左右の上下固定式施錠装置１１，１１の一方にのみ取り付けた場合において、該操作片３７は容易に付け替えることができるため、左右の上下固定式施錠装置１１，１１の中で操作しやすい方に該操作片３７を取り付けて後述のようにワンアクションで解錠操作を行うことができる。
【００３１】
操作片３７を解錠片３４に取り付けた状態では、解錠片３４の通孔３４ｂと操作片３７の通孔３８ａとが重なった状態となる。この状態で、右方の上下固定式施錠装置１１の解錠片３４の通孔３４ｂ及び操作片３７の通孔３８ａに連動リンクバー１４の右端の下方へ突出した支軸部１６を内嵌し、下方から取付ねじ１７を該支軸部１６に螺合することにより、連動リンクバー１４は解錠片３４及び操作片３７と略鉛直軸まわりに相対的に回動可能となる。また、同様にして連動リンクバー１４の左端の下方へ突出した支軸部１５を左方の上下固定式施錠装置１１に取り付けることにより、平行リンク機構が構成され、左右の上下固定式施錠装置１１，１１の一方の段付シャフト３５まわりの解錠片３４の回動動作と他方の段付シャフト３５まわりの解錠片３４の回動動作とが連動することになる。したがって、左右の上下固定式施錠装置１１，１１の中の一方に対して解錠操作を行えば、該操作のワンアクションで他方に対する解錠操作もなされることになる。
【００３２】
なお、連動リンクバー１４には屈曲部１８が形成されているため、連動リンクバー１４と操作片３７の立起部３９ａとは干渉しないように構成されている。また、このような平行リンク機構を構成する連動リンクバー１４の前後方向の移動量は少ないため、窓サッシの網戸１０３と干渉することはない（例えば、図３の網戸前面１０３ａと実線及び二点鎖線の連動リンクバー１４の外形位置を参照。）。
【００３３】
ロック受具１３は、受ピン６１及び該受ピン６１を支持する受けベース６２により構成されており、前記のとおり、取付ねじ６３・・・によりシャッター下枠６の上側に取り付けられる。また、樹脂カバー６４により覆われて保護され、意匠性及び安全性等が向上している。また、ロック機構１２も、切欠き５５ａが形成された背板部５５、側板部５６，５７及びねじカバー部５８，５９により構成される樹脂カバー５４により覆われて保護され、意匠性及び安全性等が向上している（図２及び図５参照。）。該樹脂カバー５４の取り付けは、側板部５６，５７の内側に形成した爪部５６ａ，５７ａ（図５参照。）を、ロック機構１２の基体２１の側板部２２，２３の切欠き２２ｂ，２３ｂ（図６も参照。）に係合させることにより、容易に行うことができる。なお、樹脂カバー５４及び６４は、例えば、ＡＢＳ、ＡＥＳ、ナイロン、ポリアセタール、ポリプロピレン又はポリエチレンテレフタレート等の樹脂の射出成形により製作される。
【００３４】
次にロック機構１２の施錠・解錠動作について説明する。図７（ａ）の解錠状態では、前記引張コイルばね５３の弾性付勢力によりロック部材４１の当接部４１ｄが基体２１の側板部２２の内面に当接した状態が保持されている。そして、前記シャッターカーテン３を前記巻上ドラムから引き出し、該シャッターカーテン３を最下位置まで引き下げると、図７（ａ）から図７（ｂ）のように、ロック受具１３の受ピン６１によりロック部材４１の押上片４１ａが押し上げられ、該ロック部材４１が段付シャフト４３まわりに回動してロック片４１ｂが受ピン６１の下側に位置すると共に、該ロック部材４１の係止部４１ｃと係止片４４が当接する（図７（ｂ）参照。）。この状態では、係止片４４がロック部材４１の前記回動と逆方向（解錠方向）の回動を規制するため、ロック受具１３の受ピン６１の下側にロック機構１２のロック片４１ｂが位置する状態が保持され、施錠状態となっている。
【００３５】
この施錠状態において、図８のように操作片３７の例えば立起部３９ａを持って、解錠片３４を段付きシャフト３５まわりに窓サッシ方向に回動させれば（図８及び図３の矢印Ｂ参照。）、前記ストッパ１９と前記スライダ４８の切欠き５０との係合が解除される。さらに解錠片３４を同方向に回動させて該回動角度が所定角度以上になると、解錠片３４の押下片３６がスライダ４８の上部後面側の傾斜面５１に当接してスライダ４８が押し下げられ、図７（ｂ）の係止片４４がロック部材４１の係止部４１ｃから外れて、前記ロック部材４１の解錠方向の回動の規制が解除される。
【００３６】
したがって、引張コイルばね５３の弾性付勢力によりロック部材４１が段付シャフト４３まわりに解錠方向に回動してロック片４１ｂが受ピン６１の下側から移動し、図９のようにロック受具１３の受ピン６１がロック機構１２から離れることができる解錠状態となる。このような解除操作後に操作片３７から手を離せば、引張コイルばね４０の弾性付勢力により、操作片３７及び解錠片３４は、該解錠操作前の状態（図８の実線の位置）に戻される。このような簡素な構成により、施錠装置の施錠・解錠動作を容易かつ確実に行うことができる。
【００３７】
このようにして、左右の上下固定式施錠装置１１，１１は、一方の上下固定式施錠装置１１の操作片３７を窓サッシ方向に回動させる操作により、室内側からはワンアクションで容易に解錠をすることができるものである。しかし、施錠後に窓サッシＳを閉じた状態（例えば、図３で引戸１０１，１０２を閉じた状態）では、解錠に必要な該操作片３７の窓サッシ方向への所定角度以上の回動が該窓サッシＳにより規制されるため、たとえ屋外側からシャッターカーテン３に穴があけられた場合であっても、容易に解錠されることがない。
【００３８】
また、図５〜図７に示すように、連動リンクバー１４が下側から螺合する取付ねじ１７により解錠片３４及び操作片３７に連結されることから、該連動リンクバー１４を取り外し、操作片３７を折り曲げて解錠すること等も困難である。
【００３９】
さらに、ロック機構１２の基体２１が下側から螺合する取付ねじ６０，６０により固定されること、及び、ロック受具１３は上側から螺合する取付ねじ６３・・・により固定されるが、前記施錠状態ではロック機構１１により取付ねじ６３・・・が覆われることから、たとえ屋外側からシャッターカーテン３に穴があけられた場合であっても、ロック機構１２又はロック受具１３は、容易に取り外されることはない。したがって、上下固定式施錠装置１１が解錠状態のままでは、ロック機構１２又はロック受具１３を取り外すことは非常に困難なものとなる。
【００４０】
以上のとおり、施錠後に窓サッシＳを閉じた状態では、たとえ屋外側からシャッターカーテン３に穴があけられた場合であっても、上下固定式施錠装置１１，１１の解錠が困難であること、ロック機構１２又はロック受具１３を取り外すことも困難であることから、外部からの侵入者の侵入所要時間が大幅に長くなるため、該上下固定式施錠装置１１，１１を取り付けてなるシャッター１の防犯性能は非常に高いものとなる。
【００４１】
以上の説明においては、上下固定式施錠装置１１を左右に２個設ける場合について説明したが、本発明はこのような構成に限定されるものではない。例えば、上下固定式施錠装置１１を、１個のみ又は３個以上設けてもよい。なお、上下固定式施錠装置１１を１個のみ設けた場合には、連動リンクバー１４を設けないことになるが、窓サッシＳを閉じた状態では、操作片３７の当接板部３８の下方への移動がロック機構１２の基体２１の上面によって規制されるため、前記操作片３７の係合孔３８ｂ，３８ｃと解錠片３４の係合片３４ｄとの係合を解いて解錠片３４から操作片３７を取り外すのが困難となっており、防犯性能が高められている。
【００４２】
また、以上の説明においては、解錠手段である操作片３７及び解錠片３４を略鉛直軸（段付シャフト３５）まわりに回動させる構成について説明したが、本発明はこのような構成に限定されるものではない。例えば、このような解錠手段を略水平軸まわりに回動可能に支持してロック機構１２のロック部材４１と連動させ、窓サッシＳを閉じた状態では、該解錠手段の操作片の窓サッシ方向への回動が規制されて、解錠を抑制する等の構成を採用することもできる。ただし、左右の上下固定式施錠装置１１，１１を連動させて解錠することができる構成の方が操作上好ましいこと、連動リンクバー１４による前記操作片３７の折り曲げを抑制する機能等を考慮すると、前記解錠手段を略鉛直軸まわりに回動させる構成の方がより好ましいものである。また、本実施の形態の構成によれば、より簡素な構成により前記解錠手段（操作片３７及び解錠片３４）、ストッパ１９及び押下片３６等を構成することができるため、施錠・解錠動作の信頼性の向上及びコスト低減化を図ることができる。
【図面の簡単な説明】
【００４３】
【図１】本発明の実施の形態に係る施錠装置が用いられたシャッターの例を示す正面図である。
【図２】同じく縦断右側面図である。
【図３】同じく横断平面図である。
【図４】本発明の実施の形態に係る施錠装置の構成を示す縦断右側面図である。
【図５】同じく分解斜視図である。
【図６】同じく要部分解斜視図である。
【図７】施錠装置の施錠動作の説明図であり、（ａ）は解錠状態を示す縦断正面図、（ｂ）は施錠状態を示す縦断正面図である。
【図８】解錠操作を示す平面図である。
【図９】同じく縦断正面図である。
【符号の説明】
【００４４】
１  シャッター                          ３  シャッターカーテン
６  シャッター下枠                      ８  座板
１１  上下固定式施錠装置                １２  ロック機構
１３  ロック受具                        １４  連動リンクバー
１９  ストッパ                          ２１  基体
２４  背板部                            ２５  上板部
２８  ガイド孔                          ２９，３２，３３  通孔
３４  解錠片                            ３４ａ，３４ｂ  通孔
３５  段付シャフト                      ３６  押下片
３７  操作片                            ３８ａ  通孔
４１  ロック部材                        ４１ｃ  係止部
４２  通孔                              ４３  段付シャフト
４４  係止片                            ４４ａ  スライダ支持部
４５  通孔                              ４６  段付シャフト
４７  通孔                              ４８  スライダ
４９  長孔                              ５０  切欠き
５１  傾斜面                            ５２  段付シャフト
６１  受ピン                            Ｂ  解錠操作方向
Ｓ  窓サッシ                            １０１，１０２  引戸
【図１】
2006214193.tif 000003
【図２】
2006214193.tif 000004
【図３】
2006214193.tif 000005
【図４】
2006214193.tif 000006
【図５】
2006214193.tif 000007
【図６】
2006214193.tif 000008
【図７】
2006214193.tif 000009
【図８】
2006214193.tif 000010
【図９】
2006214193.tif 000011